(57)【要約】      （修正有）【課題】耐外傷性を維持しつつ耐センター摩耗性を向上すること。【解決手段】カーカス２と、コードが互いに交差するようにカーカス２のタイヤ径方向外側に積層された少なくとも２つの交差ベルト３２，３３と、交差ベルト３２，３３とカーカス２との間に配設されタイヤ幅方向中央部が中抜きされた補強ベルト３１と、交差ベルト３２，３３のタイヤ幅方向端部とカーカス２との間で補強ベルト３１のタイヤ幅方向端部に接触する態様で配設されたベルトクッションゴム５とを備える空気入りタイヤにおいて、補強ベルト３１の中抜き部に配設されカーカス２におけるコートゴムの弾性率以上に形成された硬質ゴム層６１と、中抜き部を除き補強ベルト３１のタイヤ径方向に積層して配設されベルトクッションゴム５の弾性率以下に形成された軟質ゴム層６２とを備える。【選択図】図１
2010100263.tif 000002
【特許請求の範囲】
【請求項１】
カーカスと、コードが互いに交差するように前記カーカスのタイヤ径方向外側に積層された少なくとも２つの交差ベルトと、前記交差ベルトと前記カーカスとの間に配設されタイヤ幅方向中央部が中抜きされた補強ベルトと、前記交差ベルトのタイヤ幅方向端部と前記カーカスとの間で前記補強ベルトのタイヤ幅方向端部に接触する態様で配設されたベルトクッションゴムとを備える空気入りタイヤにおいて、
前記補強ベルトの中抜き部に配設され、前記カーカスのコートゴムの弾性率以上に形成された硬質ゴム層と、
前記中抜き部を除き前記補強ベルトのタイヤ径方向に積層して配設され、前記ベルトクッションゴムの弾性率以下に形成された軟質ゴム層と、
を備えたことを特徴とする空気入りタイヤ。
【請求項２】
前記硬質ゴム層の１００［％］伸長時モジュラスＭａが、４．５［ＭＰａ］≦Ｍａ≦１０．０［ＭＰａ］の範囲に設定され、かつ前記軟質ゴム層の１００［％］伸長時モジュラスＭｂが、１．０［ＭＰａ］≦Ｍｂ≦２．５［ＭＰａ］の範囲に設定されていることを特徴とする請求項１に記載の空気入りタイヤ。
【請求項３】
前記カーカスのコートゴムの１００［％］伸長時モジュラスＭｃが、３．０［ＭＰａ］≦Ｍｃ≦６．０［ＭＰａ］の範囲に設定され、かつ前記ベルトクッションゴムの１００［％］伸長時モジュラスＭｄが、１．５［ＭＰａ］≦Ｍｄ≦３．０［ＭＰａ］の範囲に設定されていることを特徴とする請求項１または２に記載の空気入りタイヤ。
【請求項４】
前記軟質ゴム層のタイヤ径方向寸法Ｔｂが、前記補強ベルトのコード径Ｄａに対し、１．０≦Ｔｂ／Ｄａ≦３．０の範囲に設定され、かつ前記硬質ゴム層のタイヤ径方向寸法Ｔａが、前記軟質ゴム層のタイヤ径方向寸法Ｔｂと前記補強ベルトのコード径Ｄａとに対し、Ｔｂ＋Ｄａ≦Ｔａ≦Ｔｂ＋２Ｄａの範囲に設定されていることを特徴とする請求項１〜３の何れか一つに記載の空気入りタイヤ。
【請求項５】
前記補強ベルトの中抜き部側の端間寸法Ｗａが、トレッド踏面のタイヤ幅方向寸法Ｗｔに対し、０．２≦Ｗａ／Ｗｔ≦０．４の範囲に設定されていることを特徴とする請求項１〜４の何れか一つに記載の空気入りタイヤ。
【請求項６】
タイヤ周方向に対する前記交差ベルトのコード角度θａが１０［度］≦θａ≦３０［度］の範囲に設定され、かつタイヤ周方向に対する前記補強ベルトのコード角度θｂが４５［度］≦θｂ≦９０［度］の範囲に設定されていることを特徴とする請求項１〜５の何れか一つに記載の空気入りタイヤ。
【発明の詳細な説明】
【技術分野】
【０００１】
本発明は、空気入りタイヤに関し、さらに詳しくは、耐外傷性を維持しつつ耐センター摩耗性を向上できる空気入りタイヤに関するものである。
【背景技術】
【０００２】
空気入りタイヤ（主に重荷重用空気入りタイヤ）では、悪路走行時のトレッドの耐外傷性を改善、すなわちエンベロープ特性を向上する構造として、タイヤ径方向最内側の一番ベルトのタイヤ幅方向中央部を抜いた中抜きベルト（スプリットベルトとも言う）が知られている。かかる構造の空気入りタイヤでは、タイヤ幅方向中央部の外径成長を招くことから、センター摩耗が発生する問題がある。
【０００３】
このような問題に対し、一番ベルトの中抜き部分に、短繊維コードをタイヤ周方向に配向させたゴムシート層を配設した空気入りタイヤが従来知られている（例えば、特許文献１参照）。
【０００４】
この特許文献１に記載の空気入りタイヤは、タイヤ周方向に配向された短繊維コードにより、一番ベルトのタイヤ幅方向中央部を抜いただけの空気入りタイヤと比較して外径成長を抑制することが可能であり、しかもタイヤ成形時でのトレッド中央部の加硫リフトの追従性を改善することが可能である。
【０００５】
【特許文献１】特開２００５−２６３０８９号公報
【発明の開示】
【発明が解決しようとする課題】
【０００６】
しかし、特許文献１に記載の空気入りタイヤでは、センター域の外径成長がショルダー域よりも相対的に大きいため、依然としてセンター摩耗を改善しきれていない。
【０００７】
本発明は、上記に鑑みてなされたものであって、耐外傷性を維持しつつ耐センター摩耗性を向上することのできる空気入りタイヤを提供することを目的とする。
【課題を解決するための手段】
【０００８】
上記目的を達成するため、本発明にかかる空気入りタイヤでは、カーカスと、コードが互いに交差するように前記カーカスのタイヤ径方向外側に積層された少なくとも２つの交差ベルトと、前記交差ベルトと前記カーカスとの間に配設されタイヤ幅方向中央部が中抜きされた補強ベルトと、前記交差ベルトのタイヤ幅方向端部と前記カーカスとの間で前記補強ベルトのタイヤ幅方向端部に接触する態様で配設されたベルトクッションゴムとを備える空気入りタイヤにおいて、前記補強ベルトの中抜き部に配設され、前記カーカスのコートゴムの弾性率以上に形成された硬質ゴム層と、前記中抜き部を除き前記補強ベルトのタイヤ径方向に積層して配設され、前記ベルトクッションゴムの弾性率以下に形成された軟質ゴム層と、を備えたことを特徴とする。
【０００９】
この空気入りタイヤによれば、タイヤ幅方向に分割された補強ベルトにより、エンベロープ特性を向上し、悪路走行時のトレッドの耐外傷性を維持することが可能である。しかも、補強ベルトの中抜き部に配設された硬質ゴム層により、トレッドのタイヤ幅方向中央域の外径成長を抑制し、タイヤ成形時でのトレッド中央部の加硫リフトの追従性を改善しつつ、補強ベルトのタイヤ径方向に積層された軟質ゴム層により、トレッドのタイヤ幅方向中央域の外径成長とタイヤ幅方向外側域の外径成長と（トレッドのタイヤ幅方向全域での外径成長）をほぼ均一にするので、センター摩耗を改善できる。
【００１０】
また、本発明にかかる空気入りタイヤでは、前記硬質ゴム層の１００［％］伸長時モジュラスＭａが、４．５［ＭＰａ］≦Ｍａ≦１０．０［ＭＰａ］の範囲に設定され、かつ前記軟質ゴム層の１００［％］伸長時モジュラスＭｂが、１．０［ＭＰａ］≦Ｍｂ≦２．５［ＭＰａ］の範囲に設定されていることを特徴とする。
【００１１】
この空気入りタイヤによれば、トレッドのタイヤ幅方向全域での外径成長をより均一にするのでセンター摩耗をより改善できる。
【００１２】
また、本発明にかかる空気入りタイヤでは、前記カーカスのコートゴムの１００［％］伸長時モジュラスＭｃが、３．０［ＭＰａ］≦Ｍｃ≦６．０［ＭＰａ］の範囲に設定され、かつ前記ベルトクッションゴムの１００［％］伸長時モジュラスＭｄが、１．５［ＭＰａ］≦Ｍｄ≦３．０［ＭＰａ］の範囲に設定されていることを特徴とする。
【００１３】
この空気入りタイヤによれば、トレッドのタイヤ幅方向全域での外径成長をより均一にするのでセンター摩耗をより改善できる。
【００１４】
また、本発明にかかる空気入りタイヤでは、前記軟質ゴム層のタイヤ径方向寸法Ｔｂが、前記補強ベルトのコード径Ｄａに対し、１．０≦Ｔｂ／Ｄａ≦３．０の範囲に設定され、かつ前記硬質ゴム層のタイヤ径方向寸法Ｔａが、前記軟質ゴム層のタイヤ径方向寸法Ｔｂと前記補強ベルトのコード径Ｄａとに対し、Ｔｂ＋Ｄａ≦Ｔａ≦Ｔｂ＋２Ｄａの範囲に設定されていることを特徴とする。
【００１５】
この空気入りタイヤによれば、トレッドのタイヤ幅方向全域での外径成長をより均一にするのでセンター摩耗をより改善できる。
【００１６】
また、本発明にかかる空気入りタイヤでは、前記補強ベルトの中抜き部側の端間寸法Ｗａが、トレッド踏面のタイヤ幅方向寸法Ｗｔに対し、０．２≦Ｗａ／Ｗｔ≦０．４の範囲に設定されていることを特徴とする。
【００１７】
この空気入りタイヤによれば、タイヤ幅方向に分割された補強ベルトによるエンベロープ特性の向上効果を確保するので、耐外傷性を維持できる。
【００１８】
また、本発明にかかる空気入りタイヤでは、タイヤ周方向に対する前記交差ベルトのコード角度θａが１０［度］≦θａ≦３０［度］の範囲に設定され、かつタイヤ周方向に対する前記補強ベルトのコード角度θｂが４５［度］≦θｂ≦９０［度］の範囲に設定されていることを特徴とする。
【００１９】
この空気入りタイヤによれば、タイヤ幅方向に分割された補強ベルトによるエンベロープ特性の向上効果を確保するので、耐外傷性を維持できる。
【発明の効果】
【００２０】
本発明にかかる空気入りタイヤは、タイヤ幅方向に分割された補強ベルトによりエンベロープ特性を向上し、しかも、補強ベルトの中抜き部に配設された硬質ゴム層および補強ベルトのタイヤ径方向に積層された軟質ゴム層により、トレッドのタイヤ幅方向全域での外径成長をほぼ均一にするので、耐外傷性を維持しつつ耐センター摩耗性を向上できる。
【発明を実施するための最良の形態】
【００２１】
以下に、本発明にかかる空気入りタイヤの実施の形態を図面に基づいて詳細に説明する。なお、この実施の形態によりこの発明が限定されるものではない。また、この実施の形態の構成要素には、当業者が置換可能かつ容易なもの、或いは実質的同一のものが含まれる。また、この実施の形態に記載された複数の変形例は、当業者自明の範囲内にて任意に組み合わせが可能である。
【００２２】
図１は、本発明の実施の形態にかかる空気入りタイヤを示す子午断面図、図２は、図１に示す空気入りタイヤの展開平面図、図３および図４は、本発明の実施の形態にかかる別の構成の空気入りタイヤを示す子午断面図、図５は、図１に示す空気入りタイヤの子午断面部分拡大図である。
【００２３】
以下の説明において、タイヤ径方向とは、空気入りタイヤ１の回転軸と直交する方向をいい、タイヤ径方向内側とはタイヤ径方向において回転軸に向かう側、タイヤ径方向外側とは、タイヤ径方向において回転軸から離れる側をいう。また、タイヤ幅方向とは、回転軸と平行な方向をいい、タイヤ幅方向内側とはタイヤ幅方向においてタイヤ赤道面Ｃに向かう側、タイヤ幅方向外側とは、タイヤ幅方向においてタイヤ赤道面Ｃから離れる側をいう。また、タイヤ周方向とは、回転軸を中心軸とする周方向である。
【００２４】
また、以下に説明する空気入りタイヤ１は、タイヤ赤道面Ｃを中心としてほぼ対称になるように構成されている。タイヤ赤道面Ｃとは、空気入りタイヤ１の回転軸に直交すると共に、空気入りタイヤ１のタイヤ幅の中心を通る平面である。タイヤ幅は、タイヤ幅方向の外側に位置する部分同士のタイヤ幅方向における幅、つまり、タイヤ幅方向においてタイヤ赤道面Ｃから最も離れている部分間の距離である。また、タイヤ赤道線とは、タイヤ赤道面Ｃ上にあって空気入りタイヤの周方向に沿う線をいう。そして、以下に説明する空気入りタイヤ１は、タイヤ赤道面Ｃを中心としてほぼ対称になるように構成されていることから、空気入りタイヤ１の回転軸を通る平面で該空気入りタイヤ１を切った場合の子午断面図においては、タイヤ赤道面Ｃを中心とした一側（図１〜図４において右側）のみを図示して当該一側のみを説明し、他側（図１〜図４において左側）の説明は省略する。
【００２５】
この空気入りタイヤ１は、カーカス２と、ベルト層３とを含み構成されている。カーカス２は、一対のビード部（図示省略）に対して架け渡され、かつタイヤ周方向にトロイド状に掛け回されてタイヤの骨格を構成するものである。ベルト層３は、複数（本実施の形態では４つ）のベルト３１，３２，３３，３４が積層されてなり、カーカス２のタイヤ径方向外側に配設されてカーカス２をタイヤ周方向に覆うものである。そして、ベルト層３のタイヤ径方向外側には、ゴム材が配設されてトレッド４が形成されている。トレッド４は、空気入りタイヤ１の外部に露出したものであり、その表面（トレッド面）がトレッド４の輪郭であって、空気入りタイヤ１を装着する車両（図示せず）が走行した場合に路面と接触する踏面４１として形成されている。踏面４１には、タイヤ周方向に連続する周方向主溝４１ａが形成されている。
【００２６】
ベルト層３は、カーカス２の最も近くに配設された１番ベルトである補強ベルト３１と、１番ベルトのタイヤ径方向外側に配設された２番ベルトおよび３番ベルトである交差ベルト３２，３３と、３番ベルトのタイヤ径方向外側に配設された４番ベルトである保護ベルト３４とがカーカス２のタイヤ径方向外側に積層されて構成されている。これらのベルト３１，３２，３３，３４は、スチール繊維材あるいは有機繊維材などからなる複数のコードを揃え、その周囲をコートゴムで被覆して形成されている。
【００２７】
また、タイヤ径方向内側の交差ベルト３２のタイヤ幅方向端部とカーカス２との間にはベルトクッションゴム５が配設されている。
【００２８】
補強ベルト３１は、タイヤ径方向内側の交差ベルト３２とカーカス２との間に配設されている。補強ベルト３１は、タイヤ幅方向（左右方向）に分割されタイヤ幅方向中央部が中抜きされている。この補強ベルト３１の中抜きされた中抜き部には、硬質ゴム層６１が配設されている。硬質ゴム層６１は、カーカス２におけるコートゴムの弾性率以上の材質（例えばゴム）で形成されている。
【００２９】
さらに、補強ベルト３１のタイヤ径方向内側、または補強ベルト３１のタイヤ径方向外側、もしくは補強ベルト３１のタイヤ径方向内側およびタイヤ径方向外側には、中抜き部を除くように軟質ゴム層６２が積層して配設されている。図１および図２においては、補強ベルト３１のタイヤ径方向内側に軟質ゴム層６２が配設されている形態を示し、図３においては、補強ベルト３１のタイヤ径方向外側に軟質ゴム層６２が配設されている形態を示し、図４においては、補強ベルト３１のタイヤ径方向内側およびタイヤ径方向外側に軟質ゴム層６２が配設されている形態を示している。この軟質ゴム層６２は、ベルトクッションゴム５の弾性率以下の材質（例えばゴム）で形成されている。
【００３０】
また、補強ベルト３１のタイヤ幅方向端部、および軟質ゴム層６２のタイヤ幅方向端は、ベルトクッションゴム５に接触している。また、ベルトクッションゴム５は、補強ベルト３１の一部または軟質ゴム層６２の一部とカーカス２との間に介在されている。
【００３１】
また、補強ベルト３１は、図１および図２で示す形態の場合、交差ベルト３２のタイヤ径方向内側面に接触して配設され、図３で示す形態の場合にカーカス２のタイヤ径方向外側面に接触して配設され、図４で示す形態の場合ではタイヤ径方向両側面が軟質ゴム層６２に接触して配設されている。軟質ゴム層６２は、図１および図２で示す形態の場合、カーカス２のタイヤ径方向外側面に接触して配設され、図３で示す形態の場合に交差ベルト３２のタイヤ径方向内側面に接触して配設され、図４で示す形態の場合ではカーカス２のタイヤ径方向外側面と交差ベルト３２のタイヤ径方向内側面とに接触して配設されている。そして、硬質ゴム層６１は、交差ベルト３２のタイヤ径方向内側面と、カーカス２のタイヤ径方向外側面とに接触して配設され、そのタイヤ径方向寸法が、補強ベルト３１のタイヤ径方向寸法と、軟質ゴム層６２のタイヤ径方向寸法とを加えた寸法に形成されている。
【００３２】
交差ベルト３２，３３は、タイヤ周方向に対して角度をなすコードが、積層されたベルト相互で交差して配設されている。この交差ベルト３２，３３のうち、タイヤ径方向内側に配設された交差ベルト３２は、そのタイヤ幅方向寸法がベルト層３の中で最も大きい。また、交差ベルト３２，３３のうち、タイヤ径方向外側に配設された交差ベルト３３は、そのタイヤ幅方向寸法がベルト層３の中で２番目に大きい。なお、本実施の形態では、コードを交差して配設された２つの交差ベルト３２，３３を有しているが、交差ベルトは、２つ以上積層されたベルト相互でコードを交差して配設されていてもよい。
【００３３】
保護ベルト３４は、ベルト層３の中でタイヤ径方向最外側であって、交差ベルト３３のタイヤ径方向外側に配設されている。保護ベルト３４は、交差ベルト３３のコードと同一方向に傾斜して配列されたコードを有している。この保護ベルト３４のコードは、タイヤ周方向に対する角度が１０［度］以上３０［度］以下の範囲に設定されている。また、保護ベルト３４は、タイヤ幅方向最外側の周方向主溝４１ａの位置よりもタイヤ幅方向外側にタイヤ幅方向の端部が延在しており、そのタイヤ幅方向寸法がベルト層３の中で最も小さい。
【００３４】
上記のように構成される本実施の形態にかかる空気入りタイヤ１は、カーカス２のコートゴムの弾性率以上に形成された硬質ゴム層６１が、タイヤ幅方向（左右方向）に分割された補強ベルト３１の中抜き部に配設され、かつベルトクッションゴム５の弾性率以下に形成された軟質ゴム層６２が中抜き部を除き補強ベルト３１のタイヤ径方向に積層して配設されている。
【００３５】
このため、タイヤ幅方向（左右方向）に分割された補強ベルト３１により、エンベロープ特性を向上し、悪路走行時のトレッド部の耐外傷性を維持することが可能である。しかも、補強ベルト３１の中抜き部に配設された硬質ゴム層６１により、トレッド４のタイヤ幅方向中央域の外径成長を抑制し、タイヤ成形時でのトレッド中央部の加硫リフトの追従性を改善しつつ、補強ベルト３１のタイヤ径方向に積層された軟質ゴム層６２により、トレッド４のタイヤ幅方向中央域の外径成長とタイヤ幅方向外側域の外径成長とをほぼ均一、すなわちトレッド４のタイヤ幅方向全域での外径成長をほぼ均一にしてセンター摩耗を改善することが可能になる。
【００３６】
また、本実施の形態にかかる空気入りタイヤ１は、前記弾性率としてＪＩＳ  Ｋ６２５１（３号ダンベル使用）に従い室温にて引張試験を行った硬質ゴム層６１の１００［％］伸長時モジュラスＭａが、４．５［ＭＰａ］≦Ｍａ≦１０．０［ＭＰａ］の範囲に設定されていることが好ましい。さらに、軟質ゴム層６２の１００［％］伸長時モジュラスＭｂが、１．０［ＭＰａ］≦Ｍｂ≦２．５［ＭＰａ］の範囲に設定されていることが好ましい。
【００３７】
かかる構成によれば、トレッド４のタイヤ幅方向全域での外径成長をより均一にでき、センター摩耗をより改善することが可能になる。
【００３８】
また、本実施の形態にかかる空気入りタイヤ１は、カーカス２のコートゴムの１００［％］伸長時モジュラスＭｃが、３．０［ＭＰａ］≦Ｍｃ≦６．０［ＭＰａ］の範囲に設定されている。さらに、ベルトクッションゴム５の１００［％］伸長時モジュラスＭｄが、１．５［ＭＰａ］≦Ｍｄ≦３．０［ＭＰａ］の範囲に設定されていることが好ましい。
【００３９】
かかる構成によれば、カーカス２のコートゴムの１００［％］伸長時モジュラスＭｃと硬質ゴム層６１の１００［％］伸長時モジュラスＭａとの関係により、カーカス２におけるコートゴムの弾性率以上に形成された硬質ゴム層６１が規定される。さらに、ベルトクッションゴム５の１００［％］伸長時モジュラスＭｄと軟質ゴム層６２の１００［％］伸長時モジュラスＭｂとの関係により、ベルトクッションゴム５の弾性率以下に形成された軟質ゴム層６２が規定される。このため、トレッド４のタイヤ幅方向全域での外径成長をより均一にでき、センター摩耗をより改善することが可能になる。
【００４０】
また、本実施の形態にかかる空気入りタイヤ１は、図５に示すように、軟質ゴム層６２のタイヤ径方向寸法（厚さ寸法）Ｔｂが、補強ベルト３１のコード径Ｄａに対し、１．０≦Ｔｂ／Ｄａ≦３．０の範囲に設定されていることが好ましい。さらに、硬質ゴム層６１のタイヤ径方向寸法（厚さ寸法）Ｔａが、軟質ゴム層６２のタイヤ径方向寸法Ｔｂと補強ベルト３１のコード径Ｄａとに対し、Ｔｂ＋Ｄａ≦Ｔａ≦Ｔｂ＋２Ｄａの範囲に設定されていることが好ましい。なお、図４に示すように補強ベルト３１のタイヤ径方向内側およびタイヤ径方向外側に軟質ゴム層６２が配設されている形態では、軟質ゴム層６２のタイヤ径方向寸法Ｔａは、各軟質ゴム層６２のタイヤ径方向寸法の総和とする。
【００４１】
かかる構成によれば、軟質ゴム層６２のタイヤ径方向寸法Ｔｂ、および硬質ゴム層６１のタイヤ径方向寸法Ｔａが規定される。このため、トレッド４のタイヤ幅方向全域での外径成長をより均一にでき、センター摩耗をより改善することが可能になる。
【００４２】
また、本実施の形態にかかる空気入りタイヤ１は、図１に示すように、補強ベルト３１の中抜き部の端間寸法であって、硬質ゴム層６１のタイヤ幅方向寸法Ｗａ（図１ではタイヤ赤道面Ｃを境とした１／２の寸法Ｗａを示している）が、トレッド踏面４１のタイヤ幅方向寸法Ｗｔ（図１ではタイヤ赤道面Ｃを境とした１／２の寸法Ｗｔを示している）に対し、０．２≦Ｗａ／Ｗｔ≦０．４の範囲に設定されていることが好ましい。
【００４３】
かかる構成によれば、補強ベルト３１の中抜き部の端間寸法Ｗａが規定される。このため、タイヤ幅方向（左右方向）に分割された補強ベルト３１によるエンベロープ特性の向上効果を確保して耐外傷性を維持することが可能になる。
【００４４】
また、本実施の形態にかかる空気入りタイヤ１は、タイヤ周方向に対する交差ベルト３２，３３のコードの角度θａが１０［度］≦θａ≦３０［度］の範囲に設定されていることが好ましい。さらに、タイヤ周方向に対する補強ベルト３１のコード角度θｂが４５［度］≦θｂ≦９０［度］の範囲に設定されていることが好ましい。
【００４５】
かかる構成によれば、交差ベルト３２，３３におけるコード角度θａ、および補強ベルト３１におけるコード角度θｂが規定される。このため、タイヤ幅方向（左右方向）に分割された補強ベルト３１によるエンベロープ特性の向上効果を確保して耐外傷性を維持することが可能になる。
【実施例】
【００４６】
図６は、本発明の実施例にかかる空気入りタイヤの性能試験の結果を示す図表である。本実施例では、条件が異なる複数種類の空気入りタイヤについて、耐外傷性および耐センター摩耗性に関する性能試験が行われた。
【００４７】
この性能試験では、タイヤサイズ１１Ｒ２２．５の空気入りタイヤを、正規リムに組み付け、正規内圧を充填し、１０［ｔ］３軸後方２軸駆動の試験車両（大型ダンプ）の駆動軸に装着して正規荷重を加え実施した。ここでいう正規リムとは、ＪＡＴＭＡに規定される「標準リム」、ＴＲＡに規定される「Design  Rim」、あるいはＥＴＲＴＯに規定される「Measuring  Rim」をいう。また、正規内圧とは、ＪＡＴＭＡに規定される「最高空気圧」、ＴＲＡに規定される「TIRE  LOAD  LIMITS  AT  VARIOUS  COLD  INFLATION  PRESSURES」の最大値、あるいはＥＴＲＴＯに規定される「INFLATION  PRESSURES」をいう。また、正規荷重とは、ＪＡＴＭＡに規定される「最大負荷能力」、ＴＲＡに規定される「TIRE  LOAD  LIMITS  AT  VARIOUS  COLD  INFLATION  PRESSURES」の最大値、あるいはＥＴＲＴＯに規定される「LOAD  CAPACITY」をいう。
【００４８】
評価方法は、耐外傷性の性能試験では、空気入りタイヤが装着された試験車両で一般路を３０，０００［ｋｍ］走行し、走行後にトレッドの踏面（トレッド面）に発生する外傷（［長さ方向］×［深さ方向］）を測定することにより行った。評価結果は、５点法で示し、数値が小さいほど耐外傷性が優れていることを示している。
【００４９】
また、耐センター摩耗性の性能試験では、空気入りタイヤが装着された試験車両で一般路を３０，０００［ｋｍ］走行し、走行後にトレッドの踏面（トレッド面）に発生するセンター摩耗（タイヤ幅方向中央側の周方向主溝深さと、タイヤ幅方向外側の周方向主溝深さとの差）を測定することにより行った。評価結果は、従来例の評価結果を１００とする指数で示し、指数が１１０以上であって、より大きいほど耐センター摩耗性が優れていることを示している。
【００５０】
図６において、従来例１の空気入りタイヤは、タイヤ幅方向（左右方向）に分割された補強ベルト３１の中抜き部に硬質ゴム層が配設されているが、軟質ゴム層が配設されていない。比較例１の空気入りタイヤは、硬質ゴム層が短繊維補強ゴム（短繊維コードをタイヤ周方向に配向させたゴムシート層）とされ、軟質ゴム層が配設されていない。
【００５１】
一方、実施例１〜実施例４の空気入りタイヤは、硬質ゴム層および補強ベルトの下配置（補強ベルトのタイヤ径方向内側配置）とした軟質ゴム層が配設されている。そして、実施例１では、硬質ゴム層の１００［％］伸長時モジュラスＭａ、軟質ゴム層の１００［％］伸長時モジュラスＭｂ、カーカスにおけるコートゴムの１００［％］伸長時モジュラスＭｃ、ベルトクッションゴムの１００［％］伸長時モジュラスＭｄ、およびトレッド踏面のタイヤ幅方向寸法Ｗｔに対する補強ベルトの中抜き部寸法（硬質ゴム層のタイヤ幅方向寸法）Ｗａの比（Ｗａ／Ｗｔ）が適正化されている。また、実施例２では、実施例１に加えてタイヤ周方向に対する補強ベルトのコード角度θｂが適正化されている。また、実施例３では、実施例２に加えて、硬質ゴム層の１００［％］伸長時モジュラスＭａ、および軟質ゴム層の１００［％］伸長時モジュラスＭｂがさらに適正化されている。また、実施例４では、軟質ゴム層のタイヤ径方向寸法Ｔｂ、および硬質ゴム層のタイヤ径方向寸法Ｔａの範囲が適正化されている。
【００５２】
この図６の試験結果に示すように、実施例１〜実施例４の空気入りタイヤでは、それぞれ耐外傷性を維持しつつ耐センター摩耗性が向上していることが分かる。
【産業上の利用可能性】
【００５３】
以上のように、本発明にかかる空気入りタイヤは、耐外傷性を維持しつつ耐センター摩耗性を向上することに適している。
【図面の簡単な説明】
【００５４】
【図１】本発明の実施の形態にかかる空気入りタイヤを示す子午断面図である。
【図２】図１に示す空気入りタイヤの展開平面図である。
【図３】本発明の実施の形態にかかる別の構成の空気入りタイヤを示す子午断面図である。
【図４】本発明の実施の形態にかかる別の構成の空気入りタイヤを示す子午断面図である。
【図５】図１に示す空気入りタイヤの子午断面部分拡大図である。
【図６】本発明の実施例にかかる空気入りタイヤの性能試験の結果を示す図表である。
【符号の説明】
【００５５】
１  空気入りタイヤ
２  カーカス
３  ベルト層
３１  補強ベルト
３２，３３  交差ベルト
３４  保護ベルト
４  トレッド
４１  踏面
４１ａ  周方向主溝
５  ベルトクッションゴム
６１  硬質ゴム層
６２  軟質ゴム層
Ｃ  タイヤ赤道面
Ｍａ  硬質ゴム層の１００［％］伸長時モジュラス
Ｍｂ  軟質ゴム層の１００［％］伸長時モジュラス
Ｍｃ  カーカスのコートゴムの１００［％］伸長時モジュラス
Ｍｄ  ベルトクッションゴムの１００［％］伸長時モジュラス
Ｗａ  硬質ゴム層のタイヤ幅方向寸法（補強ベルトの中抜き部側端間寸法）
Ｗｔ  カーカス踏面のタイヤ幅方向寸法
Ｄａ  補強ベルトのコード径
Ｔａ  硬質ゴム層のタイヤ径方向寸法
Ｔｂ  軟質ゴム層のタイヤ径方向寸法
θａ  タイヤ周方向に対する交差ベルトのコード角度
θｂ  タイヤ周方向に対する補強ベルトのコード角度
【図１】
2010100263.tif 000003
【図２】
2010100263.tif 000004
【図３】
2010100263.tif 000005
【図４】
2010100263.tif 000006
【図５】
2010100263.tif 000007
【図６】
2010100263.tif 000008